(57)【特許請求の範囲】
【請求項１】
メインスイッチ（８）が切りの状態において、装備されている検出手段（ａ）又は操作手段（ｂ）からの信号が変化すると、燃料残量を含む複数種の情報が表示可能なパネル表示部（１２）に燃料残量等の計測情報を一定時間表示させる表示制御手段（１３）を設けてある作業機の表示装置。
【請求項２】
前記検出手段（ａ）が残燃料量を計測するための燃料計測装置（１５）である請求項１に記載の作業機の表示装置。
【請求項３】
前記操作手段（ｂ）がライトスイッチ（１７）である請求項１に記載の作業機の表示装置。
【発明の詳細な説明】
【０００１】
【発明の属する技術分野】
本発明は、バックホウやコンバインといった作業機の表示装置に係り、詳しくは、メインスイッチを入りにしなくても計測情報をパネル表示部に表示できるようにして、作業機管理の能率化を図る技術に関するものである。
【０００２】
【従来の技術】
従来の作業機の表示装置としては、指針を有したアナログメータやランプ類を備えて構成されたパネル表示部や、消費電力を少なくしながら多種多少の情報表示が行い易い液晶式としたパネル表示部（特開平１０−９００１０号公報等）が一般的であった。
【０００３】
【発明が解決しようとする課題】
近年では、省電力で済む前記後者のものが主流になりつつあるが、いずれの構造のパネル表示部でも、通常はメインスイッチを入りにして初めて表示されるものであるので、使い方によっては不便なことがあった。すなわち、建機等のリース業者において、返却されてきた作業機の使用稼働時間を管理するためには、パネル表示部のアワーメータを確認す
ることになるが、そのためには前述したようにメインスイッチを入りにする必要があるので、調査対象機種全てのメインキーを携帯しなければならないとともに、その数あるキーのうちの１つを捜し出すという面倒で煩わしい面があった。
【０００４】
本発明の目的は、いちいちメインスイッチを持ち歩かなくてもアワーメータ等の計測情報を作業機毎に確認できるようにして、作業機の管理業務を簡単化させる点にある。
【０００５】
【課題を解決するための手段】
〔構成〕
第１発明は、作業機の表示装置において、メインスイッチが切りの状態において、装備されている検出手段又は操作手段からの信号が変化すると、燃料残量を含む複数種の情報が表示可能なパネル表示部に燃料残量等の計測情報を一定時間表示させる表示制御手段を設けてあることを特徴とする。
【０００６】
第２発明は、第１発明において、検出手段が残燃料量を計測するための燃料計測装置であることを特徴とする。
【０００７】
第３発明は、第１発明において、操作手段がライトスイッチであることを特徴とする。
【０００８】
〔作用〕
請求項１の構成によれば、（イ）表示制御手段の働きにより、メインスイッチが切りのときでも、装備されている検出手段又は操作手段が変化すると、燃料残量を含む複数種の情報が表示可能なパネル表示部に燃料残量等の計測情報を一定時間表示させることが可能である。例えば、メインスイッチが切りである停止状態の作業機において、作業装置の操作レバーを動かすとか、専用の表示スイッチを操作すれば、パネル表示部に残燃料量が計測情報として１０秒間だけ表示される、といった具合である。
【０００９】
請求項２の構成によれば、装備されている検出手段としての燃料計測装置の変化、例えば、燃料が１リットル以上増加した等の変化に伴って表示制御手段が作動し、上記（イ）の作用を得ることができる。
【００１０】
請求項３の構成によれば、装備されている操作手段としてのライトスイッチの変化、例えば、前照灯スイッチのＯＮ操作によって表示制御手段が作動し、上記（イ）の作用を得ることができる。
【００１１】
〔効果〕
請求項１〜３のいずれに記載の作業機でも、メインキーを持ち歩かなくても燃料残量等の計測情報を得ることが可能になり、リース業者等における作業機の管理業務が行い易くなる表示装置を提供することができた。
【００１２】
請求項２や３に記載の表示装置では、作業機に既存の手段を用いることにより、経済的に管理業務の効率化が図れる利点がある。
【００１３】
【発明の実施の形態】
以下に、本発明の実施の形態を、作業機の一例であるバックホウの場合について図面に基づいて説明する。図１にバックホウが示され、１はクローラ走行装置、２はドーザ装置、３は旋回台、４は掘削作業装置、５は運転部、６はボンネット、７はタンクボンネット１４に収容される燃料タンク、１１はエンジンである。このバックホウでは、メインスイッチ８を入りにしなくてもパネル表示部において必要な計測情報を知ることができる表示装置Ａが装備されており、次にその表示装置Ａについて説明する。
【００１４】
図２に示すように、表示装置Ａは、メインスイッチ８が切りの状態、即ち、メインキー９がメインスイッチ８に差し込まれていない状態又は差し込んだだけで回していない状態において、装備されている検出手段ａ又は操作手段ｂが変化すると、運転部５の操縦塔１０上面に配置されたパネル表示部１２に計測情報を一定時間表示させる表示制御手段１３を設けて構成されている。
【００１５】
燃料タンク７には、液面の高さを検出するフロートの揺動支点に備えたポテンショメータ等の燃料センサ（燃料計測装置の一例）１５が装備され、パネル表示部１２には、液晶画面１６、ライトスイッチ１７、オートアイドル（ＡＩ）スイッチ１８、その他のスイッチ１９等が装備されている。メインスイッチ８がＯＮ操作されているときには、液晶画面１６、又はそれとそのバックライト（図示せず）が駆動状態になるとともに、ライトスイッチ１７の入り操作で作業灯２０が点灯するようになっている。
【００１６】
メインスイッチ８のＯＮ時には、ディーゼルエンジン搭載機におけるグロー表示、エンジン回転数、アワーメータ、燃料計、水温計等が液晶画面１６に基準表示されており、スイッチ操作（装備されているスイッチの兼用によるのが好都合である）等のワンアクションによって、基準表示に代えて、各種警告メッセージ、対策メッセージ等の臨時表示に切換わるとともに、モードスイッチ操作によって、テスター機能、故障の来歴等の検査表示に切換えることも可能である。
【００１７】
図２に示すように、バッテリー２１の陽極端子はメインスイッチ８を介して制御装置２２に接続する主回路２３と、直接制御装置２２に接続される制御回路２４とを備えている。制御回路２４は、燃料センサ１５で構成される検出手段ａ、及びライトスイッチ１７で構成される操作手段ｂとが常時作動可能となるように、信号検出用の微弱電流を流すための制御電流手段２５に接続されている。
【００１８】
そして、メインスイッチ８がＯＦＦの状態では、ライトスイッチ１７の入り操作、又は燃料補給による燃料センサ１５の燃料増加側への動きが生じると、操作表示制御手段１３Ａ又は検出表示制御手段１３Ｂが作動して、その作動開始から１５秒間に亘って液晶画面１６にアワーメータ（作業機の累積稼働時間）と燃料残量とが表示されるように制御装置２２が機能する。参考として図３に、表示制御手段による制御動作のフローチャートを示す。
【００１９】
又、燃料補給によって検出表示制御手段１３Ｂが作動すると、そのときの単位時間当たりの補給量が所定値（０．５Ｌ／ＳＥＣ）を越えた場合にはブザー２８が警告音を発するようにするとともに、燃料残量が増えるに従って音の周波数が高くなるか、或いは間欠的に鳴る音の間隔が次第に短くなるか、といった警告音に変化を付けるように制御する燃料警報制御手段２７を設けてある。これにより、給油中にパネル表示部１２が見えなくても警報音を聞くことで給油状態が把握でき、燃料を入れ過ぎて零す不都合を未然に防止する
ことが可能になる。参考として、図４に燃料警報制御手段２７による制御動作のフローチャートを示す。
【００２０】
燃料警報制御手段２７は、燃料補給速度の如何に拘わらずに満タン近くになると警報を発するとか、それに加えて満タンに近づくにつれて周波数を高く或いは音量を大きくするという制御手段としても良い。
【００２１】
つまり、リース業者の作業員が、返却されてきたバックホウが借り主によって何時間使われたのか、或いは燃料がどの位減っているかを調べるために、アワーメータを液晶画面１６に表示させる場合、従来ではメインキー９を携帯してメインスイッチ８をＯＮさせる必要があった。これに対して本発明では、ライトスイッチ１７をＯＮ操作するか、或いは燃料補給を行うかすれば、そのＯＮ操作信号又は燃料の増加検出信号によって表示制御手段１３が作動し、液晶画面１６に１５秒間に亘ってアワーメータと燃料残量とが表示されるようになり、メインキー９を持つこと無く管理業務を行えるのである。
【００２２】
〔別実施形態〕
図２に仮想線で示すように、専用の表示スイッチ（操作手段ｂの一例）２６を設けて、この表示スイッチ２６の操作で一定時間液晶画面１６にアワーメータと燃料残量等の計測情報を表示させるようにしても良い。又、前記表示スイッチ２６を、操縦塔１０下部に備えた点検蓋等の開閉可能なカバー部材の内側に配備させておいて、不必要に操作され難いようにしておけば好都合である。
【００２３】
尚、検出手段ａ、操作手段ｂ、計測情報は、作業機の種類や付設する作業装置の種類や形態等の違いに応じて種々の変更が可能である。
【図面の簡単な説明】
【図１】バックホウの側面図
【図２】表示装置の機能を示す制御系統図
【図３】表示制御手段の機能を示すフローチャート
【図４】燃料警報制御手段の機能を示すフローチャート
【符号の説明】
８    メインスイッチ
１２  パネル表示部
１３  表示制御手段
１５  燃料計測装置
１７  ライトスイッチ
ａ    検出手段
ｂ    操作手段
【図１】
0003630570.tif 000002
【図２】
0003630570.tif 000003
【図３】
0003630570.tif 000004
【図４】
0003630570.tif 000005